(57)【要約】【課題】開口の止水性能を向上することができる扉及び扉の止水構造を提供することを目的とする。【解決手段】扉１は、構造物の開口に設けられる枠体４と、枠体４に回動可能に支持され開口を開閉する扉体５と、扉体５が開口を閉塞させる閉塞位置にある状態で、扉体５が枠体４に押し付けられる押付方向に対して当該枠体４と当該扉体５との間に介在する枠状の止水部材１０１を有し、止水部材１０１によって開口を止水する止水構造１００とを備え、止水部材１０１は、扉体５が開口を開放させる開放位置にある状態で、枠体４に支持される扉体５の吊り元側における押付方向となる方向の高さが相対的に高く、扉体５の吊り元側とは反対側の戸先側における押付方向となる方向の高さが相対的に低いことを特徴とする。【選択図】図３
2015055049.tif 000002
【特許請求の範囲】
【請求項１】
構造物の開口に設けられる枠体と、
前記枠体に回動可能に支持され前記開口を開閉する扉体と、
前記扉体が前記開口を閉塞させる閉塞位置にある状態で、前記扉体が前記枠体に押し付けられる押付方向に対して当該枠体と当該扉体との間に介在する枠状の止水部材を有し、前記止水部材によって前記開口を止水する止水構造とを備え、
前記止水部材は、前記扉体が前記開口を開放させる開放位置にある状態で、前記枠体に支持される前記扉体の吊り元側における前記押付方向となる方向の高さが相対的に高く、前記扉体の吊り元側とは反対側の戸先側における前記押付方向となる方向の高さが相対的に低いことを特徴とする、
扉。
【請求項２】
前記止水部材は、水平方向に沿って設けられ、前記吊り元側から前記戸先側に向って、前記押付方向となる方向の高さが徐々に低くなるように形成された傾斜を有する水平部材を含んで構成される、
請求項１に記載の扉。
【請求項３】
前記止水部材は、止水ゴムを含んで構成され、当該止水ゴムの前記押付方向となる方向の高さが前記吊り元側と前記戸先側とで異なる、
請求項１又は請求項２に記載の扉。
【請求項４】
前記止水部材は、止水ゴムと、当該止水ゴムと前記枠体又は前記扉体との間に介在するスペーサを含んで構成され、前記止水ゴムの前記押付方向となる方向の高さが前記吊り元側と前記戸先側とで同等であり、前記スペーサの前記押付方向となる方向の高さが前記吊り元側と前記戸先側とで異なる、
請求項１又は請求項２に記載の扉。
【請求項５】
構造物の開口に設けられる枠体に回動可能に支持される扉体が前記開口を開閉する扉の止水構造であって、
前記扉体が前記開口を閉塞させる閉塞位置にある状態で、前記扉体が前記枠体に押し付けられる押付方向に対して当該枠体と当該扉体との間に介在する枠状の止水部材を備え、
前記止水部材は、前記扉体が前記開口を開放させる開放位置にある状態で、前記枠体に支持される前記扉体の吊り元側における前記押付方向となる方向の高さが相対的に高く、前記扉体の吊り元側とは反対側の戸先側における前記押付方向となる方向の高さが相対的に低いことを特徴とする、
扉の止水構造。
【発明の詳細な説明】
【技術分野】
【０００１】
本発明は、扉及び扉の止水構造に関する。
【背景技術】
【０００２】
従来の扉の止水構造として、例えば、特許文献１には、環状の枠部材と、この枠部材の開口を塞止する扉部材とを備え、この扉部材にて開口を塞止することによって、開口からの浸水を阻止する止水扉装置が開示されている。この止水扉装置は、枠部材に、扉部材の周縁部を受ける環状の受部が設けてあり、この受部の適宜位置に扉部材に当接させる枠側凸部が開口に倣って延設してあり、扉部材の周縁部に受部に当接させる扉側凸部が、枠側凸部の当接部分と位置を異ならせて、当該当接部分に倣って延設してある。そして、この止水扉装置は、受部の扉側凸部の当接部分に、弾性材を用いてなる第１止水部材が延設してあり、扉部材の枠側凸部の当接部分に、弾性材を用いてなる第２止水部材が延設してある。
【先行技術文献】
【特許文献】
【０００３】
【特許文献１】特開２００７−０２３５４０号公報
【発明の概要】
【発明が解決しようとする課題】
【０００４】
ところで、上述の特許文献１に記載の止水扉装置は、上記の構成により開口を密閉し、建物内部への浸水を防止しているが、例えば、さらなる止水性能の向上の点で更なる改善の余地がある。
【０００５】
本発明は、上記の事情に鑑みてなされたものであって、開口の止水性能を向上することができる扉及び扉の止水構造を提供することを目的とする。
【課題を解決するための手段】
【０００６】
上記目的を達成するために、本発明に係る扉は、構造物の開口に設けられる枠体と、前記枠体に回動可能に支持され前記開口を開閉する扉体と、前記扉体が前記開口を閉塞させる閉塞位置にある状態で、前記扉体が前記枠体に押し付けられる押付方向に対して当該枠体と当該扉体との間に介在する枠状の止水部材を有し、前記止水部材によって前記開口を止水する止水構造とを備え、前記止水部材は、前記扉体が前記開口を開放させる開放位置にある状態で、前記枠体に支持される前記扉体の吊り元側における前記押付方向となる方向の高さが相対的に高く、前記扉体の吊り元側とは反対側の戸先側における前記押付方向となる方向の高さが相対的に低いことを特徴とする。
【０００７】
これにより、この扉は、例えば、戸先側において、止水部材によって扉体が閉まりきらなくなることを抑制した上で、吊り元側において、適正な止水性能を確保することができるので、開口の止水性能を向上することができる。
【０００８】
また、上記扉では、前記止水部材は、水平方向に沿って設けられ、前記吊り元側から前記戸先側に向って、前記押付方向となる方向の高さが徐々に低くなるように形成された傾斜を有する水平部材を含んで構成されるものとすることができる。
【０００９】
この場合、扉は、例えば、止水部材を構成する水平部材においても、戸先側において止水部材によって扉体が閉まりきらなくなることを抑制した上で、吊り元側において、適正な止水性能を確保することができる。
【００１０】
また、上記扉では、前記止水部材は、止水ゴムを含んで構成され、当該止水ゴムの前記押付方向となる方向の高さが前記吊り元側と前記戸先側とで異なるものとすることができる。
【００１１】
この場合、扉は、例えば、止水ゴムの押付方向となる方向の高さを、吊り元側と戸先側とで異ならせることで、止水部材の吊り元側の高さを相対的に高くし、戸先側の高さを相対的に低くする構成を実現することができる。
【００１２】
また、上記扉では、前記止水部材は、止水ゴムと、当該止水ゴムと前記枠体又は前記扉体との間に介在するスペーサを含んで構成され、前記止水ゴムの前記押付方向となる方向の高さが前記吊り元側と前記戸先側とで同等であり、前記スペーサの前記押付方向となる方向の高さが前記吊り元側と前記戸先側とで異なるものとすることができる。
【００１３】
この場合、扉は、例えば、スペーサの押付方向となる方向の高さを、吊り元側と戸先側とで異ならせることで、止水部材の吊り元側の高さを相対的に高くし、戸先側の高さを相対的に低くする構成を実現することができる。
【００１４】
上記目的を達成するために、本発明に係る扉の止水構造は、構造物の開口に設けられる枠体に回動可能に支持される扉体が前記開口を開閉する扉の止水構造であって、前記扉体が前記開口を閉塞させる閉塞位置にある状態で、前記扉体が前記枠体に押し付けられる押付方向に対して当該枠体と当該扉体との間に介在する枠状の止水部材を備え、前記止水部材は、前記扉体が前記開口を開放させる開放位置にある状態で、前記枠体に支持される前記扉体の吊り元側における前記押付方向となる方向の高さが相対的に高く、前記扉体の吊り元側とは反対側の戸先側における前記押付方向となる方向の高さが相対的に低いことを特徴とする。
【００１５】
これにより、この扉の止水構造は、例えば、戸先側において止水部材によって扉体が閉まりきらなくなることを抑制した上で、吊り元側において、適正な止水性能を確保することができるので、開口の止水性能を向上することができる。
【発明の効果】
【００１６】
本発明に係る扉及び扉の止水構造は、開口の止水性能を向上することができる、という効果を奏する。
【図面の簡単な説明】
【００１７】
【図１】図１は、実施形態１に係る扉の概略構成を表す模式的な正面図である。
【図２】図２は、図１に示すＡ−Ａ断面図である。
【図３】図３は、図１に示すＡ−Ａ断面図である。
【図４】図４は、図１に示すＢ−Ｂ断面図である。
【図５】図５は、図２に示す囲み線Ｃを含む部分断面図である。
【図６】図６は、図２に示す囲み線Ｃを含む部分断面図である。
【図７】図７は、実施形態２に係る扉の水平方向に沿った断面図である。
【図８】図８は、実施形態２に係る扉の水平方向に沿った断面図である。
【図９】図９は、実施形態２に係る扉のスペーサの模式的な斜視図である。
【図１０】図１０は、実施形態３に係る扉の水平方向に沿った断面図である。
【図１１】図１１は、実施形態３に係る扉の水平方向に沿った断面図である。
【図１２】図１２は、実施形態３に係る扉のストッパ機構の概略構成を表す側面図である。
【図１３】図１３は、実施形態３に係る扉のストッパ機構の概略構成を表す側面図である。
【発明を実施するための形態】
【００１８】
以下に、本発明に係る実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１９】
［実施形態１］
図１は、実施形態１に係る扉の概略構成を表す模式的な正面図である。図２、図３は、図１に示すＡ−Ａ断面図である。ここでは、図２は、扉体が閉塞位置にある状態を表し、図３は、扉体が開放位置にある状態を表している。図４は、図１に示すＢ−Ｂ断面図である。図５、図６は、図２に示す囲み線Ｃを含む部分断面図である。ここでは、図５は、水圧が作用していない状態を表し、図６は、水圧が作用している状態を表している。
【００２０】
図１、図２に示す本実施形態の扉１は、ビル、家屋、倉庫等の建築物を含む構造物２に形成された開口３を開放あるいは閉塞するものである。開口３は、構造物２の第１空間側（例えば、屋外空間側）と第２空間側（例えば、屋内空間側）とを連通するように形成される。本実施形態の扉１は、止水構造１００を有し構造物２の内部に水が浸入することを防止する、いわゆる止水扉である。本実施形態の扉１は、枠体４と、扉体５と、止水構造１００とを備える。
【００２１】
なお、以下の説明では、扉体５を閉塞位置に回動させる際の回動方向を「閉塞時回動方向」といい、扉体５を開放位置に回動させる際の回動方向を「開放時回動方向」という場合がある。また、閉塞時回動方向は、典型的には、開口３を介して一方の空間側（屋外空間側）から他方の空間側（屋内空間側）へ水が浸入する可能性がある場合に、水が流動する可能性がある方向に沿った方向である。つまり、水の流動方向は、典型的には、開放時回動方向側が上流側、閉塞時回動方向側が下流側となる。また、水平方向に沿った方向であって後述の一対の縦枠部材４１が向かい合う方向を「扉幅方向」という場合がある。
【００２２】
枠体４は、構造物２の開口３に設けられる。枠体４は、一対の縦枠部材４１と、一対の上枠部材４２及び下枠部材４３とを含んで構成される四方枠タイプとなっている。
【００２３】
一対の縦枠部材４１は、それぞれ開口３の鉛直方向に沿った端面に１つずつ設けられる。一対の縦枠部材４１は、水平方向に対して開口３の空間部分を挟んで対向し、扉幅方向に対して左右一対で設けられる。一対の縦枠部材４１は、鉛直方向に沿って設けられる。
【００２４】
上枠部材４２及び下枠部材４３は、それぞれ開口３の水平方向に沿った端面に１つずつ設けられる。ここでは、上枠部材４２は、開口３の水平方向に沿った端面であって鉛直方向上側の端面に設けられる。下枠部材４３は、開口３の水平方向に沿った端面であって鉛直方向下側の端面に設けられる。上枠部材４２及び下枠部材４３は、鉛直方向に対して開口３の空間部分を挟んで対向する。上枠部材４２及び下枠部材４３は、水平方向に沿って設けられる。
【００２５】
枠体４は、開口３の内面側にて一対の縦枠部材４１の端部と一対の上枠部材４２、下枠部材４３の端部とが連結されており、全体として開口３に対応した環状のロの字型形状に構成される。枠体４は、開口３の周囲を囲むように構造物２に固定的に取り付けられている。一対の縦枠部材４１、上枠部材４２、下枠部材４３は、開口３の各端面との間がコーキング材等により水密状態とされる。
【００２６】
さらに、枠体４は、各縦枠部材４１、上枠部材４２、下枠部材４３における開口３の空間部分側に、後述の止水部材１０１を保持するための保持部４４を有する。保持部４４は、枠体４の各縦枠部材４１、上枠部材４２、下枠部材４３に沿って、全体として環状のロの字型形状に構成される。保持部４４は、枠体４の各縦枠部材４１、上枠部材４２、下枠部材４３において、開放時回動方向側、すなわち、屋外空間側に開口するように凹部状に形成され、当該凹部内に止水部材１０１を収容、保持することができる。
【００２７】
扉体５は、枠体４に回動可能に支持され開口３を開閉する開閉体である。すなわち、扉体５は、開口３を開放あるいは閉塞する。本実施形態の扉体５は、片開き式の扉である。扉体５は、例えば、框、縦桟、横桟等の骨格部材を組んだものに対して両面から板状の扉表面材を組み付けることで、全体として矩形パネル状の部材として構成される。
【００２８】
扉体５は、扉表面材に当該扉体５を開閉するためのドアノブ５１等が設けられる。また、扉体５は、水平方向に沿った一方の端面に蝶番５２等が設けられる一方、他方の端面にラッチ５３等が設けられる。蝶番５２は、鉛直方向に沿った回動軸を中心として、扉体５を枠体４の一方の縦枠部材４１に回動可能に支持する。本実施形態の蝶番５２は、１つの回動軸を有する１軸蝶番によって構成される。本実施形態の蝶番５２は、鉛直方向に間をあけて２箇所に設けられる。ラッチ５３は、枠体４の他方の縦枠部材４１に形成される係合穴５３ａと係合することで、扉体５の戸先を当該縦枠部材４１に係合するものである。扉体５は、水平方向に対して蝶番５２が設けられる基端部側が吊り元側（言い換えれば、戸尻側）となる一方、吊り元側とは反対側、すなわち、ラッチ５３が設けられる先端部側が戸先側となる。扉体５は、さらに、不図示のドアクローザー等を備えていてもよい。
【００２９】
したがって、扉体５は、蝶番５２の回動軸を回動中心として、開口３を閉塞させる閉塞位置（図２中に実線で図示）と、開口３を開放させる開放位置（図２中に点線で図示）とに回動可能となる。そして、この扉体５は、閉塞位置にある状態でラッチ５３が縦枠部材４１に形成された係合穴５３ａと係合する。扉体５は、閉塞位置から開放位置側に回動されることで、屋外空間側に進出し開口３を開放する。
【００３０】
止水構造１００は、止水部材１０１を有し、扉体５が閉塞位置にある状態で、当該止水部材１０１によって開口３を止水するものである。止水部材１０１は、扉体５が閉塞位置にある状態で、扉体５が枠体４に押し付けられる押付方向に対して当該枠体４と当該扉体５との間に介在する。本実施形態の止水部材１０１は、枠体４側に設けられるものとして説明するがこれに限らず、扉体５側に設けられてもよい。ここで、扉体５が枠体４に押し付けられる押付方向とは、典型的には、扉体５に対して屋外空間側から水圧が作用した際に当該水圧による押し付け力が作用する方向であり、第１空間側（例えば、屋外空間側）から第２空間側（例えば、屋内空間側）に向う方向である。本実施形態では、押付方向は、閉塞位置にある扉体５の扉表面材と直交する方向で屋内空間側に向う方向に相当する。
【００３１】
本実施形態の止水部材１０１は、戸先側止水ゴム１０２、吊り元側止水ゴム１０３、上側止水ゴム１０４、及び、下側止水ゴム１０５を含んで構成される。戸先側止水ゴム１０２、吊り元側止水ゴム１０３、上側止水ゴム１０４、及び、下側止水ゴム１０５は、所定の弾性を有する弾性部材であり、例えば、独立気泡型の樹脂（止水ゴム）材や気泡を有しない柔らかめの樹脂等を用いることができる。戸先側止水ゴム１０２、吊り元側止水ゴム１０３、上側止水ゴム１０４、及び、下側止水ゴム１０５は、扉体５が閉塞位置にある状態で枠体４と扉体５との間に介在し、当該枠体４と扉体５との間を封止（シール）して流体の通過を防止する。さらに言えば、戸先側止水ゴム１０２、吊り元側止水ゴム１０３、上側止水ゴム１０４、及び、下側止水ゴム１０５は、扉体５の閉塞位置側への回動に応じて枠体４と扉体５との間で弾性変形し枠体４と扉体５とに密着し、当該枠体４と当該扉体５との間を密閉する。
【００３２】
戸先側止水ゴム１０２、吊り元側止水ゴム１０３は、鉛直方向に沿って設けられる一対の鉛直部材である。上側止水ゴム１０４、下側止水ゴム１０５は、水平方向に沿って設けられる一対の水平部材である。戸先側止水ゴム１０２、吊り元側止水ゴム１０３、上側止水ゴム１０４、及び、下側止水ゴム１０５は、棒状の部材として形成される。
【００３３】
より詳細には、戸先側止水ゴム１０２は、戸先側の縦枠部材４１の保持部４４内に収容、保持される。吊り元側止水ゴム１０３は、吊り元側の縦枠部材４１の保持部４４内に収容、保持される。上側止水ゴム１０４は、上枠部材４２の保持部４４内に収容、保持される。下側止水ゴム１０５は、下枠部材４３の保持部４４内に収容、保持される。戸先側止水ゴム１０２、吊り元側止水ゴム１０３、上側止水ゴム１０４、及び、下側止水ゴム１０５は、各保持部４４内で、各端部が水密状態（密着状態）となるように連続的に連結されている。戸先側止水ゴム１０２、吊り元側止水ゴム１０３、上側止水ゴム１０４、及び、下側止水ゴム１０５によって構成される止水部材１０１は、全体として枠体４に対応した枠状のロの字型形状に構成される。
【００３４】
そして、本実施形態の止水部材１０１は、図３、図４に示すように、押付方向となる方向の高さを吊り元側と戸先側とで異ならせることで、開口３の止水性能を向上することができるようにしている。
【００３５】
具体的には、止水部材１０１は、扉体５が開放位置にある状態で、吊り元側における押付方向となる方向の高さが相対的に高く、戸先側における押付方向となる方向の高さが相対的に低くなるように形成される。
【００３６】
ここでは、止水部材１０１は、戸先側止水ゴム１０２、吊り元側止水ゴム１０３、上側止水ゴム１０４、及び、下側止水ゴム１０５の押付方向となる方向の高さが吊り元側と戸先側とで異なる。これにより、止水構造１００は、止水部材１０１の吊り元側の高さを相対的に高くし、戸先側の高さを相対的に低くする構成を実現することができる。
【００３７】
より詳細には、止水部材１０１は、図３に示すように、一対の鉛直部材としての戸先側止水ゴム１０２と吊り元側止水ゴム１０３との関係において、吊り元側止水ゴム１０３の高さＨ２が戸先側止水ゴム１０２の高さＨ１より高く形成される。ここで、戸先側止水ゴム１０２の高さＨ１とは、戸先側止水ゴム１０２における押付方向となる方向の高さである。戸先側止水ゴム１０２の高さＨ１は、典型的には、戸先側の縦枠部材４１の保持部４４の屋内側の底面から戸先側止水ゴム１０２の屋外側の先端位置までの長さに相当する。また、吊り元側止水ゴム１０３の高さＨ２とは、吊り元側止水ゴム１０３における押付方向となる方向の高さである。吊り元側止水ゴム１０３の高さＨ２は、典型的には、吊り元側の縦枠部材４１の保持部４４の屋内側の底面から吊り元側止水ゴム１０３の屋外側の先端位置までの長さに相当する。
【００３８】
なお、扉体５が閉塞位置（図２参照）にあり当該扉体５に水圧が作用していない状態で、扉体５における戸先側止水ゴム１０２、吊り元側止水ゴム１０３との各当接面と、対応する各保持部４４の底面とは、ほぼ平行になっている。また、扉体５が閉塞位置にあり当該扉体５に水圧が作用していない状態で、扉体５における戸先側止水ゴム１０２、吊り元側止水ゴム１０３との各当接面と、対応する各保持部４４の底面との押付方向に沿った間隔は、ほぼ同等になっている。
【００３９】
また、止水部材１０１は、図４に示すように、一対の水平部材としての上側止水ゴム１０４、下側止水ゴム１０５が、吊り元側から戸先側に向って、押付方向となる方向の高さが徐々に低くなるように形成された傾斜（テーパ）を有する。図４は、下側止水ゴム１０５を図示しているが、上側止水ゴム１０４についてもほぼ同様である。上側止水ゴム１０４、下側止水ゴム１０５は、吊り元側の端部の高さＨ４が戸先側の端部の高さＨ３より高く形成される。そして、上側止水ゴム１０４、下側止水ゴム１０５は、吊り元側から戸先側に向って先細りとなるような形状に形成される。ここで、上側止水ゴム１０４、下側止水ゴム１０５の高さＨ３とは、戸先側の端部における押付方向となる方向の高さである。上側止水ゴム１０４、下側止水ゴム１０５の高さＨ３は、典型的には、戸先側の端部において、上枠部材４２、下枠部材４３の保持部４４の屋内側の底面から上側止水ゴム１０４、下側止水ゴム１０５の屋外側の先端位置までの長さに相当する。同様に、上側止水ゴム１０４、下側止水ゴム１０５の高さＨ４とは、吊り元側の端部における押付方向となる方向の高さである。上側止水ゴム１０４、下側止水ゴム１０５の高さＨ４は、典型的には、吊り元側の端部において、上枠部材４２、下枠部材４３の保持部４４の屋内側の底面から上側止水ゴム１０４、下側止水ゴム１０５の屋外側の先端位置までの長さに相当する。上側止水ゴム１０４、下側止水ゴム１０５の高さＨ３は、上述の戸先側止水ゴム１０２の高さＨ１と同等に設定される。また、上側止水ゴム１０４、下側止水ゴム１０５の高さＨ４は、上述の吊り元側止水ゴム１０３の高さＨ２と同等に設定される。
【００４０】
なおこの場合も、扉体５が閉塞位置（図２参照）にあり当該扉体５に水圧が作用していない状態で、扉体５における上側止水ゴム１０４、下側止水ゴム１０５との各当接面と、対応する各保持部４４の底面とは、ほぼ平行になっている。また、扉体５が閉塞位置にあり当該扉体５に水圧が作用していない状態で、扉体５における上側止水ゴム１０４、下側止水ゴム１０５との各当接面と、対応する各保持部４４の底面との押付方向に沿った間隔は、ほぼ同等になっている。
【００４１】
上記のように構成される扉１は、図５に示す初期状態に対して、図６に示す水圧状態では、扉体５の戸先側が水圧によって屋内側、言い換えれば、枠体４側に押し込まれることとなる。ここで、図５に例示する初期状態とは、扉体５に対して屋外側から水圧が作用していない状態である。一方、図６に例示する水圧状態とは、扉体５に対して屋外側から所定の大きさの水圧が作用している状態である。このため、止水構造１００は、戸先側においては、水圧状態での扉体５における各当接面と各保持部４４の底面との間隔Ｄ２（図６参照）が、初期状態での扉体５における各当接面と各保持部４４の底面との間隔Ｄ１（図５参照）に対して相対的に狭くなる。したがって、扉１は、戸先側においては、扉体５に対して屋外側から水圧が作用すると、戸先側止水ゴム１０２や上側止水ゴム１０４、下側止水ゴム１０５の戸先側が枠体４と扉体５との間で押付方向に十分に押しつぶされて、適正な止水性能を確保することができる。
【００４２】
一方、扉１は、吊り元側においては、扉体５の当該吊り元側の端部が蝶番５２によって枠体４に支持されていることから、屋外側から扉体５に所定以上の大きさの水圧が作用しても、扉体５の吊り元側が屋内側、言い換えれば、枠体４側に十分に押し込まれない傾向にある。つまり、止水構造１００は、吊り元側においては、水圧状態での扉体５における各当接面と各保持部４４の底面との間隔が、初期状態での扉体５における各当接面と各保持部４４の底面との間隔に対してあまり変化しない傾向にある。
【００４３】
しかしながら、本実施形態の止水構造１００の止水部材１０１は、扉体５が開放位置にある状態で、吊り元側における押付方向となる方向の高さが相対的に高くなるように形成される。ここでは、上述の吊り元側の高さＨ２（図３参照）、及び、高さＨ４（図４参照）は、十分な水圧が作用していない初期状態でも、吊り元側止水ゴム１０３や上側止水ゴム１０４、下側止水ゴム１０５の吊り元側が枠体４と扉体５との間で押付方向に十分に押しつぶされて適正な止水性能を発揮することができる高さに設定される。これにより、止水構造１００は、吊り元側において、初期状態と水圧状態とで扉体５における各当接面と各保持部４４の底面との間隔が変化しなくても、初期状態の時点で、吊り元側止水ゴム１０３や上側止水ゴム１０４、下側止水ゴム１０５の吊り元側が枠体４と扉体５との間で押付方向に十分に押しつぶされて密着しているので、水圧状態でも適正な止水性能を確保することができる。
【００４４】
このとき、止水構造１００は、止水部材１０１の吊り元側における高さが相対的に高く形成されることにより、扉体５が開放位置から閉塞位置に向う際の止水部材１０１の当たりが強くなっても、相対的に高く形成される箇所が蝶番５２側であるため、テコの原理によって、枠体４と扉体５との間で確実に止水部材１０１を押しつぶすことができる。この結果、扉１は、扉体５を閉塞位置に回動させる際に大きな力が必要になることを抑制することができ、例えば、ドアクローザー等の作用によって、適正に自閉することができる。
【００４５】
一方、本実施形態の止水構造１００の止水部材１０１は、扉体５が開放位置にある状態で、戸先側における押付方向となる方向の高さが相対的に低くなるように形成される。ここでは、上述の戸先側の高さＨ１（図３参照）、及び、高さＨ３（図４参照）は、初期状態でもラッチ５３が係合穴５３ａに係合できる程度の高さで、かつ、水圧状態で戸先側止水ゴム１０２や上側止水ゴム１０４、下側止水ゴム１０５の戸先側が枠体４と扉体５との間で押付方向に十分に押しつぶされて適正な止水性能を発揮することができる高さに設定される。これにより、止水構造１００は、止水部材１０１の戸先側における高さが相対的に低く形成されることにより、扉体５に水圧が作用していない初期状態において、止水部材１０１の高さが高すぎて扉体５が閉まりきらずラッチ５３が係合穴５３ａに係合できないような事態が生じることを抑制することができる。この結果、扉１は、初期状態において、ラッチ５３を係合穴５３ａに確実に係合させることができ、適正に自閉することができる。
【００４６】
そして、止水構造１００は、戸先側においては、初期状態から水圧状態に移行すると、扉体５における各当接面と各保持部４４の底面との間隔が相対的に狭くなり、戸先側止水ゴム１０２や上側止水ゴム１０４、下側止水ゴム１０５の戸先側が枠体４と扉体５との間で押付方向に十分に押しつぶされて密着するので、水圧状態で適正な止水性能を確保することができる。
【００４７】
つまり、扉１、止水構造１００は、単純に止水部材１０１の高さを一律に高くした場合には、吊り元側を含めて適正な止水性能を確保することができる一方、扉体５の自閉性能が悪化してしまうという背反が生じるおそれがある。逆に、扉１、止水構造１００は、単純に止水部材１０１の高さを一律に低くした場合には、扉体５の自閉性能を確保することができる一方、吊り元側を含めて適正な止水性能の確保ができないという背反が生じるおそれがある。
【００４８】
これに対して、本実施形態の扉１、止水構造１００は、上記のように止水部材１０１の押付方向となる方向の高さを、吊り元側と戸先側とで異ならせることで、水圧が作用していない初期状態において適正に自閉することができる性能を維持した上で、水圧が作用した水圧状態において適正な止水性能を確保することができ、上記のような背反を解消することができる。この結果、扉１、止水構造１００は、適正な自閉性能と止水性能とを両立することができ、開口３の止水性能を向上することができる。
【００４９】
なお、以上で説明した戸先側の高さＨ１、及び、高さＨ３、吊り元側の高さＨ２、及び、Ｈ４は、扉体５に所定の水圧がかかった際に、止水部材１０１を構成する戸先側止水ゴム１０２、吊り元側止水ゴム１０３、上側止水ゴム１０４、及び、下側止水ゴム１０５の各部のつぶれ量がほぼ同等になるように設定されるとよい。これにより、扉１、止水構造１００は、止水部材１０１を構成する戸先側止水ゴム１０２、吊り元側止水ゴム１０３、上側止水ゴム１０４、及び、下側止水ゴム１０５の劣化量等をほぼ均等にすることができるので、耐久性を向上することができる。
【００５０】
以上で説明した実施形態に係る扉１によれば、枠体４と、扉体５と、止水構造１００とを備える。枠体４は、構造物２の開口３に設けられる。扉体５は、枠体４に回動可能に支持され開口３を開閉する。止水構造１００は、扉体５が開口３を閉塞させる閉塞位置にある状態で、扉体５が枠体４に押し付けられる押付方向に対して当該枠体４と当該扉体５との間に介在する枠状の止水部材１０１を有し、止水部材１０１によって開口３を止水する。そして、止水部材１０１は、扉体５が開口３を開放させる開放位置にある状態で、枠体４に支持される扉体５の吊り元側における押付方向となる方向の高さが相対的に高く、扉体５の吊り元側とは反対側の戸先側における押付方向となる方向の高さが相対的に低い。
【００５１】
したがって、扉１、止水構造１００は、戸先側において、止水部材１０１によって扉体５が閉まりきらなくなることを抑制した上で、吊り元側において、適正な止水性能を確保することができるので、適正な自閉性能と止水性能とを両立することができ、開口３の止水性能を向上することができる。
【００５２】
なお、扉体５は、閉塞位置にある状態で、図２に示されるように、戸先側が戸先側止水ゴム１０２に押し付けられ、吊り元側が吊り元側止水ゴム１０３の押し付けられるように構成されていれば任意であり（当然であるが、扉体５自体は、使用上において必要とされる止水性能が確保されている構造である。）、例えば、折れ戸のように複数の扉体部材で折れ曲がり可能に連結されて構成されているような扉体５でもよい。
【００５３】
［実施形態２］
図７、図８は、実施形態２に係る扉の水平方向に沿った断面図である。ここでは、図７は、戸先側止水ゴム、吊り元側止水ゴムを含む断面図を表し、図８は、下側止水ゴムを含む断面図を表している。図９は、実施形態２に係る扉のスペーサの模式的な斜視図である。実施形態２に係る扉、扉の止水構造は、止水部材の構成が実施形態１に係る扉、扉の止水構造とは異なる。その他、上述した実施形態と共通する構成、作用、効果については、重複した説明はできるだけ省略する。また、扉の各構成については適宜図１、図２等を参照する（以下で説明する実施形態でも同様である。）。
【００５４】
図７、図８に示す本実施形態の扉２１に適用される止水構造２００は、止水部材２０１を備える。止水部材２０１は、扉体５が開放位置にある状態で、吊り元側における押付方向となる方向の高さが相対的に高く、戸先側における押付方向となる方向の高さが相対的に低くなるように形成される。
【００５５】
本実施形態の止水部材２０１は、上述の戸先側止水ゴム１０２、吊り元側止水ゴム１０３、上側止水ゴム１０４、及び、下側止水ゴム１０５に加えて、スペーサ２０６を含んで構成される。スペーサ２０６は、戸先側止水ゴム１０２、吊り元側止水ゴム１０３、上側止水ゴム１０４、及び、下側止水ゴム１０５と枠体４又は扉体５との間、ここでは枠体４との間に介在する。
【００５６】
より具体的には、スペーサ２０６は、図７、図８、図９に示すように、戸先側スペーサ２０６ａ、吊り元側スペーサ２０６ｂ、上側スペーサ２０６ｃ、及び、下側スペーサ２０６ｄを含んで構成される。
【００５７】
戸先側スペーサ２０６ａ、吊り元側スペーサ２０６ｂは、鉛直方向に沿って設けられる一対の鉛直部材である。上側スペーサ２０６ｃ、下側スペーサ２０６ｄは、水平方向に沿って設けられる一対の水平部材である。戸先側スペーサ２０６ａ、吊り元側スペーサ２０６ｂ、上側スペーサ２０６ｃ、及び、下側スペーサ２０６ｄは、棒状の部材として形成されてロの字型形状に組み合わせられてもよいし、全体でロの字型形状となるように一体で形成されてもよい。
【００５８】
戸先側スペーサ２０６ａは、戸先側の縦枠部材４１の保持部４４内に収容、保持され、当該保持部４４の底部と戸先側止水ゴム１０２との間に介在する。吊り元側スペーサ２０６ｂは、吊り元側の縦枠部材４１の保持部４４内に収容、保持され、当該保持部４４の底部と吊り元側止水ゴム１０３との間に介在する。上側スペーサ２０６ｃは、上枠部材４２の保持部４４内に収容、保持され、当該保持部４４の底部と上側止水ゴム１０４との間に介在する。下側スペーサ２０６ｄは、下枠部材４３の保持部４４内に収容、保持され、当該保持部４４の底部と下側止水ゴム１０５との間に介在する。スペーサ２０６を構成する戸先側スペーサ２０６ａ、吊り元側スペーサ２０６ｂ、上側スペーサ２０６ｃ、及び、下側スペーサ２０６ｄは、上述したように、全体として枠体４に対応した枠状のロの字型形状に構成される。
【００５９】
そして、本実施形態の戸先側止水ゴム１０２、吊り元側止水ゴム１０３、上側止水ゴム１０４、及び、下側止水ゴム１０５は、押付方向となる方向の高さが吊り元側と戸先側とで同等に形成される。つまり、戸先側止水ゴム１０２、吊り元側止水ゴム１０３、上側止水ゴム１０４、及び、下側止水ゴム１０５は、押付方向となる方向の高さがほぼ均等になるように形成される。
【００６０】
一方、本実施形態のスペーサ２０６は、押付方向となる方向の高さが吊り元側と戸先側とで異なるように形成される。ここでは、スペーサ２０６は、戸先側スペーサ２０６ａ、吊り元側スペーサ２０６ｂ、上側スペーサ２０６ｃ、及び、下側スペーサ２０６ｄの押付方向となる方向の高さが吊り元側と戸先側とで異なる。これにより、止水構造２００は、止水部材２０１の吊り元側の高さを相対的に高くし、戸先側の高さを相対的に低くする構成を実現することができる。
【００６１】
より詳細には、スペーサ２０６は、図９に示すように、一対の鉛直部材としての戸先側スペーサ２０６ａと吊り元側スペーサ２０６ｂとの関係において、吊り元側スペーサ２０６ｂの高さＨ６が戸先側スペーサ２０６ａの高さＨ５より高く形成される。ここで、戸先側スペーサ２０６ａの高さＨ５とは、戸先側スペーサ２０６ａにおける押付方向となる方向の高さである。戸先側スペーサ２０６ａの高さＨ５は、典型的には、戸先側の縦枠部材４１の保持部４４の屋内側の底面から戸先側スペーサ２０６ａの屋外側の先端位置までの長さに相当する。また、吊り元側スペーサ２０６ｂの高さＨ６とは吊り元側スペーサ２０６ｂにおける押付方向となる方向の高さである。吊り元側スペーサ２０６ｂの高さＨ６は、典型的には、吊り元側の縦枠部材４１の保持部４４の屋内側の底面から吊り元側スペーサ２０６ｂの屋外側の先端位置までの長さに相当する。
【００６２】
同様に、スペーサ２０６は、一対の水平部材としての上側スペーサ２０６ｃ、下側スペーサ２０６ｄが吊り元側から戸先側に向って、押付方向となる方向の高さが徐々に低くなるように形成された傾斜（テーパ）を有する。上側スペーサ２０６ｃ、下側スペーサ２０６ｄは、吊り元側の端部の高さＨ８が戸先側の端部の高さＨ７より高く形成される。そして、上側スペーサ２０６ｃ、下側スペーサ２０６ｄは、吊り元側から戸先側に向って先細りとなるような形状に形成される。ここで、上側スペーサ２０６ｃ、下側スペーサ２０６ｄの高さＨ７とは、戸先側の端部における押付方向となる方向の高さである。上側スペーサ２０６ｃ、下側スペーサ２０６ｄの高さＨ７は、典型的には、戸先側の端部において、上枠部材４２、下枠部材４３の保持部４４の屋内側の底面から上側スペーサ２０６ｃ、下側スペーサ２０６ｄの屋外側の先端位置までの長さに相当する。同様に、上側スペーサ２０６ｃ、下側スペーサ２０６ｄの高さＨ８とは、吊り元側の端部における押付方向となる方向の高さである。上側スペーサ２０６ｃ、下側スペーサ２０６ｄの高さＨ８は、典型的には、吊り元側の端部において、上枠部材４２、下枠部材４３の保持部４４の屋内側の底面から上側スペーサ２０６ｃ、下側スペーサ２０６ｄの屋外側の先端位置までの長さに相当する。上側スペーサ２０６ｃ、下側スペーサ２０６ｄの高さＨ７は、上述の戸先側スペーサ２０６ａの高さＨ５と同等に設定される。また、上側スペーサ２０６ｃ、下側スペーサ２０６ｄの高さＨ８は、上述の吊り元側スペーサ２０６ｂの高さＨ６と同等に設定される。
【００６３】
本実施形態の止水構造２００は、戸先側止水ゴム１０２、吊り元側止水ゴム１０３、上側止水ゴム１０４、下側止水ゴム１０５、及び、スペーサ２０６によって構成される止水部材２０１の全体での戸先側の高さＨ１、高さＨ３、吊り元側の高さＨ２、高さＨ４が上述で説明した条件を満たすように、スペーサ２０６の各高さＨ５、Ｈ６、Ｈ７、Ｈ８が設定される。
【００６４】
したがって、本実施形態の扉２１、止水構造２００は、上記のように止水部材２０１の押付方向となる方向の高さを、吊り元側と戸先側とで異ならせることで、水圧が作用していない初期状態において適正に自閉することができる性能を維持した上で、水圧が作用した水圧状態において適正な止水性能を確保することができる。この結果、扉２１、止水構造２００は、適正な自閉性能と止水性能とを両立することができ、開口３の止水性能を向上することができる。
【００６５】
［実施形態３］
図１０、図１１は、実施形態３に係る扉の水平方向に沿った断面図である。図１２、図１３は、実施形態３に係る扉のストッパ機構の概略構成を表す側面図である。ここでは、図１０、図１２は、水圧が作用していない状態（通常使用時）を表し、図１１、図１３は、水圧が作用している状態（止水使用時）を表している。実施形態３に係る扉、扉の止水構造は、ストッパ機構を備える点で実施形態１に係る扉、扉の止水構造とは異なる。
【００６６】
図１０、図１１に示す本実施形態に係る扉３１は、ストッパ機構３０７を備える。扉３１は、当該ストッパ機構３０７を備える点、止水構造１００の止水部材１０１の形状、蝶番５２の形式、扉体５の開閉方向、吊り元側と戸先側との位置関係等が実施形態１に係る扉１とは異なるが、その他の構成については扉１とほぼ同等の構成をなしている。本実施形態の蝶番５２は、水平方向にずれた位置に２つの回動軸を有する２軸蝶番によって構成されている。
【００６７】
本実施形態のストッパ機構３０７は、図１０、図１２に示すように扉体５に水圧が作用していない通常使用時と、図１１、図１３に示すように扉体５に水圧が作用する止水使用時とで、扉体５と止水部材１０１との接触状態を変更するものである。ストッパ機構３０７は、一対の縦枠部材４１にそれぞれ１つずつ設けられている。各ストッパ機構３０７は、ストッパピン本体３０７ａ、回動軸３０７ｂ、当接部３０７ｃ、切欠部３０７ｄ、突起部３０７ｅ等を含んで構成される。
【００６８】
ストッパピン本体３０７ａは、柱状に形成されるピン部材である。ストッパピン本体３０７ａは、一方の端部に回動軸３０７ｂが設けられ、他方の端部に当接部３０７ｃが設けられる。回動軸３０７ｂは、扉幅方向に沿うようにして各縦枠部材４１に固定される。当接部３０７ｃは、扉体５と当接する部分であり、ゴム等によって形成される。
【００６９】
ストッパピン本体３０７ａは、回動軸３０７ｂが縦枠部材４１に固定された状態で、屋内側に当該回動軸３０７ｂが位置し、屋外側に当接部３０７ｃが位置するような位置関係で、各縦枠部材４１に組み付けられる。言い換えれば、ストッパピン本体３０７ａは、枠体４側に当該回動軸３０７ｂが位置し、扉体５側に当接部３０７ｃが位置するように配置される。ストッパピン本体３０７ａは、各縦枠部材４１に組み付けられた状態で、回動軸３０７ｂを回動中心として回動可能である。ストッパピン本体３０７ａは、図１０、図１２に示す通常位置と、図１１、図１３に示す止水位置とに回動可能である。
【００７０】
図１０、図１２に示す通常位置は、扉体５に水圧が作用していない通常使用時に適用される位置である。ストッパピン本体３０７ａは、通常位置では、押付方向に沿った状態となる。ストッパピン本体３０７ａは、通常位置にある状態での鉛直方向下側の辺に切欠部３０７ｄが形成されている。ストッパピン本体３０７ａは、通常位置において、当該切欠部３０７ｄが、各縦枠部材４１に固定された突起部３０７ｅに係合することで、当該通常位置で保持される。ストッパピン本体３０７ａは、通常位置では、当接部３０７ｃが扉体５の屋内側の面に当接する。ストッパピン本体３０７ａは、当接部３０７ｃが扉体５の屋内側の面に当接した状態で、止水部材１０１が扉体５に押しつぶされない、あるいは接触しない長さに形成されている。
【００７１】
一方、図１１、図１３に示す止水位置は、扉体５に水圧が作用する止水使用時に適用される位置である。ストッパピン本体３０７ａは、止水位置では、鉛直方向に沿った状態となる。ストッパピン本体３０７ａは、止水位置では、当接部３０７ｃが鉛直方向上側を向き、扉体５とは当接しないようになる。これにより、止水部材１０１は、水圧に応じて扉体５と枠体４との間で押しつぶされる状態となる。
【００７２】
上記のように構成される扉３１は、扉体５に水圧が作用しない通常使用時には、手動でストッパピン本体３０７ａが通常位置に回動される。これにより、扉３１は、当接部３０７ｃが扉体５の屋内側の面に当接することで、通常使用時に止水部材１０１が必要以上に押しつぶされないようにすることができる。これにより、扉３１は、通常使用時に、止水部材１０１が扉体５によって枠体４に押し付けられないようにすることができ、当該止水部材１０１を構成する戸先側止水ゴム１０２、吊り元側止水ゴム１０３、上側止水ゴム１０４、及び、下側止水ゴム１０５に作用する荷重を小さくすることができる。この結果、扉３１は、通常使用時に、止水部材１０１を構成する戸先側止水ゴム１０２、吊り元側止水ゴム１０３、上側止水ゴム１０４、及び、下側止水ゴム１０５の劣化を抑制することができるので、耐久性を向上することができる。
【００７３】
一方、扉３１は、扉体５に水圧が作用する止水使用時には、手動でストッパピン本体３０７ａが止水位置に回動される。これにより、扉３１は、戸先側において、止水部材１０１によって扉体５が閉まりきらなくなることを抑制した上で、吊り元側において、適正な止水性能を確保することができるので、適正な自閉性能と止水性能とを両立することができ、開口３の止水性能を向上することができる。
【００７４】
なお、上述した本発明の実施形態に係る扉及び扉の止水構造は、上述した実施形態に限定されず、特許請求の範囲に記載された範囲で種々の変更が可能である。本実施形態に係る扉及び扉の止水構造は、以上で説明した各実施形態の構成要素を適宜組み合わせることで構成してもよい。
【符号の説明】
【００７５】
１、２１、３１    扉
２    構造物
３    開口
４    枠体
５    扉体
４１    縦枠部材
４２    上枠部材
４３    下枠部材
４４    保持部
５１    ドアノブ
５２    蝶番
５３    ラッチ
５３ａ    係合穴
１００、２００    止水構造
１０１、２０１    止水部材
１０２    戸先側止水ゴム
１０３    吊り元側止水ゴム
１０４    上側止水ゴム
１０５    下側止水ゴム
２０６    スペーサ
２０６ａ    戸先側スペーサ
２０６ｂ    吊り元側スペーサ
２０６ｃ    上側スペーサ
２０６ｄ    下側スペーサ
３０７    ストッパ機構
３０７ａ    ストッパピン本体
３０７ｂ    回動軸
３０７ｃ    当接部
３０７ｄ    切欠部
３０７ｅ    突起部
【図１】
2015055049.tif 000003
【図２】
2015055049.tif 000004
【図３】
2015055049.tif 000005
【図４】
2015055049.tif 000006
【図５】
2015055049.tif 000007
【図６】
2015055049.tif 000008
【図７】
2015055049.tif 000009
【図８】
2015055049.tif 000010
【図９】
2015055049.tif 000011
【図１０】
2015055049.tif 000012
【図１１】
2015055049.tif 000013
【図１２】
2015055049.tif 000014
【図１３】
2015055049.tif 000015